(57)【要約】【課題】プロジェクタ機能をどのような環境においても使用可能とするアダプタを提供する。加えて、携帯電子機器を操作しても投影画面が揺れないアダプタを提供する。【解決手段】プロジェクタ機能付き携帯電話機１用のアダプタ１０１は、筐体と、筐体に配設された表示部１０８と、プロジェクタ機能付き携帯電子機器１を載置可能な載置部１１４と、プロジェクタ機能付き携帯電子機器１が載置部１１４に載置された状態で出射する光を受光して表示部１０８に投影する投影レンズ１１７と、を有する。【選択図】図４
2010232931.tif 000002
【特許請求の範囲】
【請求項１】
筐体と、
前記筐体に配設された表示部と、
プロジェクタ機能付き携帯電子機器を載置可能な載置部と、
前記プロジェクタ機能付き携帯電子機器が前記載置部に載置された状態で出射する光を受光して前記表示部に投影する投影レンズと、を有する
プロジェクタ機能付き携帯電子機器用アダプタ。
【請求項２】
前記筐体に配設された入力部と、
前記プロジェクタ機能付き携帯電子機器に、前記入力部より入力された信号を発信する通信部と、を有する
請求項１に記載のプロジェクタ機能付き携帯電子機器用アダプタ。
【請求項３】
前記載置部の少なくとも一側面側に前記入力部が配置されている
請求項２に記載のプロジェクタ機能付き携帯電子機器用アダプタ。
【請求項４】
前記筐体は、
前記表示部が配設された第１の筐体と、
前記入力部が配設された第２の筐体と、
前記第１の筐体と前記第２の筐体とを連結する連結部と、を有し、
前記連結部は、前記第１の筐体と前記第２の筐体とを開動可能に支持しており、前記第１の筐体の前記表示部側の面と前記第２の筐体の前記入力部側の面とを対向した状態に折り畳み可能である
請求項２又は３に記載のプロジェクタ機能付き携帯電子機器用アダプタ。
【請求項５】
前記第１の前記筐体と第２の筐体が折り畳まれる際には、前記投影レンズは取り外される
請求項４に記載のプロジェクタ機能付き携帯電子機器用アダプタ。
【請求項６】
前記連結部は、前記第１の筐体と前記第２の筺体の開度を一定に保持可能である
請求項４又は５に記載のプロジェクタ機能付き携帯電子機器用アダプタ。
【請求項７】
前記表示部は、水性ペンによるインクによって書込可能、及び、当該インクを消去可能な材料によって構成する
請求項１〜４いずれか１項に記載のプロジェクタ機能付き携帯電子機器用アダプタ。
【請求項８】
前記表示部は入力を検出可能な検出部を有し、
前記通信部は、前記検出部が検出した入力情報をプロジェクタ機能付き携帯電子機器に送信する
請求項１〜５いずれか１項に記載のプロジェクタ機能付き携帯電子機器用アダプタ。
【請求項９】
第１の筐体と、
連結部によって前記第１の筐体と開閉自在に形成される第２の筐体と、
前記第１の筐体に配設された表示部と、
前記第２の筐体に配設された入力部と、
前記第２の筐体に形成されたプロジェクタ機能付き携帯電子機器を載置可能な載置部と、
前記プロジェクタ機能付き携帯電子機器が前記載置部に載置された状態で出射する光を受光して前記表示部に投影する投影レンズと、を含むプロジェクタ機能付き携帯電子機器用アダプタの前記第１の筐体と前記第２の筐体の開度に対して前記プロジェクタ機能付き携帯電子機器用アダプタの通信部から発信された開度情報信号を受信する通信部と、
前記開度情報信号に応じて投影画像を調整する制御部と、
前記制御部によって調整された画像を、前記投影レンズを介して前記表示部に投影するプロジェクタ部と、を有する
プロジェクタ機能付き携帯電子機器。
【発明の詳細な説明】
【技術分野】
【０００１】
本発明はプロジェクタ機能を有する携帯電話機、ＰＤＡ、携帯型ゲーム機、携帯用テレビ、携帯用ラジオ等の携帯電子機器の投影画面を表示するアダプタに関する。加えて、本発明は、このアダプタが用いられる携帯電子機器に関する。
【背景技術】
【０００２】
現在、携帯用の電子機器にもプロジェクタ機能を持たせ、投影画面を白い壁や、従来から存在するスクリーンに投影することが行われている。
特許文献１には、このようなプロジェクタ機能を有する携帯電子機器が記載されている。
この携帯電子機器は投影先であるスクリーン等からの一定距離を維持する必要があるが、スクリーン等からの一定距離を維持する方法としては、ユーザが手に持ってスクリーン等と一定の距離を維持する方法がある。
また、他の方法として、手に持たない場合にはテーブル等の上にこの携帯電子機器を載せて、スクリーン等からの一定距離を維持する方法がある。
【先行技術文献】
【特許文献】
【０００３】
【特許文献１】特開２００７―２６７２９２号公報
【発明の概要】
【発明が解決しようとする課題】
【０００４】
しかしながら、特許文献１に記載されている携帯電子機器では、スクリーン等に投影するためのスクリーンや白くフラットな壁面等を用意しなければならず、プロジェクタ機能を使用する環境が限られてしまう。
手に持って投影する場合には、ユーザの手のわずかな動きによって投影画面が揺れてしまうため、携帯電子機器を手で固定し続けなければならない。かかる手の動きの固定は、ユーザに忍耐を強いることになってしまう。
一方、テーブル等に固定する場合には、ユーザは手に持たなくて済むものの、携帯電話電子機器を固定するためのテーブル等を用意しなくてはならず、使用環境が限られてしまう。さらに、テーブル等に載せて画面の揺れがないとしても、投影画面の切換え等を行う場合には携帯電子機器を操作しなくてはならないのでその際には、投影画面の振れが生じてしまう。
【０００５】
本発明の目的は、プロジェクタ機能をどのような環境においても使用可能とするアダプタを提供すること、及び、携帯電子機器を操作しても投影画面が揺れないアダプタを提供することである。
【課題を解決するための手段】
【０００６】
本発明のプロジェクタ機能付き携帯電子機器用アダプタは、筐体と、前記筐体に配設された表示部と、プロジェクタ機能付き携帯電子機器を載置可能な載置部と、前記プロジェクタ機能付き携帯電子機器が前記載置部に載置された状態で出射する光を受光して前記表示部に投影する投影レンズと、を有する。
【０００７】
好適には、前記筐体に配設された入力部と、前記プロジェクタ機能付き携帯電子機器に、前記入力部より入力された信号を発信する通信部と、を有する。
【０００８】
好適には、前記載置部の少なくとも一側面側に前記入力部が配置されている。
【０００９】
好適には、前記筐体は、前記表示部が配設された第１の筐体と、前記入力部が配設された第２の筐体と、前記第１の筐体と第２の筐体とを連結する連結部と、を有し、前記連結部は、前記第１の筐体と前記第２の筐体とを動可能に支持しており、前記第２の筐体の前記表示部側の面と前記第２筐体の前記入力部側の面とを対向した状態に折り畳み可能である。
【００１０】
好適には、前記第１の筐体と第２の筐体が折り畳まれる際には、前記投影レンズは取り外される。
【００１１】
好適には、前記連結部は、前記第１の筐体と前記第２の筺体の開度を一定に保持可能である。
【００１２】
好適には、前記表示部は、水性ペンによるインクによって書込可能、及び、当該インクを消去可能な材料によって構成する。
【００１３】
好適には、前記表示部は入力を検出可能な検出部を有し、前記通信部は、前記検出部が検出した入力情報をプロジェクタ機能付き携帯電子機器に送信する。
【００１４】
本発明のプロジェクタ機能付き携帯電子機器は、第１の筐体と、連結部によって前記第１の筐体と開閉自在に形成される第２の筐体と、前記第１の筐体に配設された表示部と、
前記第２の筐体に配設された入力部と、前記第２の筐体に形成されたプロジェクタ機能付き携帯電子機器を載置可能な載置部と、前記プロジェクタ機能付き携帯電子機器が前記載置部に載置された状態で出射する光を受光して前記表示部に投影する投影レンズと、を含むプロジェクタ機能付き携帯電子機器用アダプタの前記第１の筐体と前記第２の筐体の開度に対して前記プロジェクタ機能付き携帯電子機器用アダプタの通信部から発信された開度情報信号を受信する通信部と、前記開度情報信号に応じて投影画像を調整する制御部と、前記制御部によって調整された画像を、前記投影レンズを介して前記表示部に投影するプロジェクタ部と、を有する。
【発明の効果】
【００１５】
本発明によると、プロジェクタ機能をどのような環境においても使用可能とするアダプタを提供すること、及び、携帯電子機器を操作しても投影画面が揺れないアダプタを提供することができる。
【図面の簡単な説明】
【００１６】
【図１】本発明に係る携帯電子機器の外観図である。
【図２】本発明の実施形態に係る携帯電話機における外観の斜視図である。
【図３】本発明の実施形態における、アダプタの外観図である。
【図４】携帯電話機が配置された状態における表示装置の外観図である。
【図５】投影レンズの正面図、側面図及び背面図である
【図６】図４の携帯電話機を配置したアダプタを側面から見た側面図である。
【図７】本発明におけるアダプタと携帯電話機の信号処理系を示すブロック図である。
【発明を実施するための形態】
【００１７】
図１は、本発明の実施形態に係る携帯電話機１の外観を開状態で示す斜視図である。
【００１８】
携帯電話機１は、いわゆる折り畳み式の携帯電話機１として構成されており、開状態と閉状態との間で互いに回動可能に携帯連結部９によって連結された上部ケース２及び下部ケース３を有している。図１は、上部ケース２及び下部ケース３の開状態を示している。
上部ケース２は、下部ケース３と対向する部分を構成する上部フロントケース４と、下部ケース３とは反対側部分を構成する上部リアケース５とを有している。
下部ケース３は、上部ケース２と対向する部分を構成する下部フロントケース６と、上部ケース２とは反対側部分を構成する下部リアケース７とを有している。
【００１９】
上部フロントケース４及び上部リアケース５はネジ等により互いに固定され、上部フロントケース４及び上部リアケース５の間に形成された空間に種々の電子部材を収容する収容空間を構成する。
下部フロントケース６及び下部リアケース７もネジ等により互いに固定され、下部フロントケース６及び下部リアケース７の間に形成された空間に種々の電子部材を収容する収容空間を構成する。
これらの上部フロントケース４、上部リアケース５、下部フロントケース６及び下部リアケース７は、例えば、樹脂により形成されている。
【００２０】
なお、方向を示すときは、上部リアケース５から上部フロントケース４に向かう方向を表面方向（図１においては、紙面手前の方向）といい、上部フロントケース４から上部リアケース５に向かう方向を裏面方向（図１においては、紙面奥手の方向）という。
同様に下部リアケース７から下部フロントケース６に向かう方向を表面方向（図１においては、紙面手前の方向）といい、下部フロントケース６から下部リアケース７に向かう方向を裏面方向（図１においては、紙面奥手の方向）という。
【００２１】
また、上部ケース２において携帯連結部９に向かう方向を結合部方向（図１の上部ケース２においては、紙面下の方向）といい、その逆を結合部反対方向（図１の上部ケース２においては、紙面上方向）という。
同様に、下部ケース３においても、携帯連結部９に向かう方向を結合部方向（図１の下部ケース３においては、紙面上の方向）といい、その逆を結合部反対方向（図１の下部ケース３においては、紙面下の方向）という。
【００２２】
さらに、図１のように上部ケース２を上にし、下部ケース３を下にした状態とした時に、右側に来る側面を携帯右側面１１とし、左側に来る側面を携帯左側面１２という。
そして、携帯右側面１１側に向かう方向を右側面方向（図１においては、紙面右の方向）といいい、携帯左側面１２面に向かう方向を左側面方向（図１においては、紙面左の方向）という。
【００２３】
なお、上記の方向の定義は、後述するアダプタ１０１についても同様に用いる。
【００２４】
図１のように、上部フロントケース４には携帯表示部８が配置されている。
この携帯表示部８は、携帯電話機１の状態、ユーザの操作内容、発信先電話番号、電子メールの内容の表示、ゲーム画面等の様々な情報を表示するためのものである。
また、携帯表示部８はＬＣＤ（液晶ディスプレイ）、ＯＬＥＤ（Organic light-emitting diode：有機ＥＬ）等によって構成されている。
【００２５】
また、図１のように、下部フロントケース６の表面方向には、携帯入力部１０が配置されている。この携帯入力部１０をユーザが操作することによって、携帯電話機１に命令の入力、文字の入力等がなされる。
【００２６】
また、上述してきた携帯電話機１の構造は、後述するアダプタ１０１においてもほぼ同じ構造を有している。
【００２７】
図２は、本発明の実施形態に係る携帯電話機１における外観の斜視図である。
【００２８】
図２のように、携帯電話機１の上部ケース２及び下部ケース３を接合する携帯連結部９近傍の下部ケース３にプロジェクタ部１３が配置されている。
なお、プロジェクタ部１３の位置や大きさは適宜変更可能である。
【００２９】
図３は、本発明の実施形態における、アダプタ１０１の外観図である。
【００３０】
アダプタ１０１は、上部筐体１０２と下部筐体１０３を有し、上部筐体１０２と下部筐体１０３は連結部１０９を介して結合されている。連結部１０９は、上部筐体１０２と下部筐体１０３を回動可能、つまり、折り畳みが可能な状態で結合している。図３は開状態での表示装置の斜視図となっている。
折りたたみ時には、投影レンズ１１７は取り外される。
【００３１】
上部筐体１０２には表示部１０８が配置されている。そしてこの表示部１０８はスクリーンの機能を果たすために、投影された光を反射するために白色かつ平面状に構成される。表示部１０８の材質は例えばポリエステルフィルムから構成する。
【００３２】
下部筐体１０３には、パーソナルコンピュータ（特にノート型パーソナルコンピュータ）等に用いられているキーボードと同様の入力部１１０が配置される。このようにパーソナルコンピュータに用いられているものとほぼ同様のキーボードを、携帯電話機１で用いられているキー配列と対比して「フルキーボード」と定義する。
なお、入力部１１０はパソコンと同様のキー配列である必要は必ずしもなく、プロジェクタ機能をより使いやすくするための光の強度の調整キーなどの各種のキーが追加されていてもよいし、逆に、不要なキーは削除されていてもよい。
また、入力部１１０の中央には携帯電話機１を配置するための載置部１１４を設ける。載置部１１４には、携帯電話機１を収納するために窪みを作成してもよいし、さらには、携帯電話機１を固定するためのバンド、両面テープ等が配置されていてもよい。
【００３３】
下部筐体１０３と上部筐体１０２との接合部付近の下部筐体１０３には投影レンズ１１７が配置されている。
【００３４】
また、下部筐体１０３の載置部１１４に該当する部分の内部には、携帯電話機１とデータのやり取りを行うための通信装置が内蔵されている。
なお、通信手段は電波通信でも赤外線通信であってもよい。場合によっては、コネクタを配置してこれと物理的に結合させることによって通信をさせることも可能である。
さらになお、通信手段は必ずしも載置部１１４の内部に配置する必然性はなく設計上の必要に応じて適宜変更可能である。
【００３５】
図４は、携帯電話機１が配置された状態におけるアダプタ１０１の外観図である。
【００３６】
図４のように、載置部１１４にプロジェクタ部１３（図２参照のこと）と投影レンズ１１７が対向するように配置される。これによって、プロジェクタ部１３から放射された光を投影レンズ１１７が受けることが可能となる。
もっとも、投影レンズ１１７はプロジェクタ部１３から放射された光を受光することができるのであればどのような位置に配置することも可能である。
【００３７】
図５は、投影レンズ１１７の正面図、側面図及び背面図である。
【００３８】
図５（ｃ）は投影レンズ１１７を携帯電話機１の載置部１１４側から見た正面図である。
正面図側には携帯電話機１のプロジェクタ部１３から放射される光を受光する入射面１１８と、入射面１１８から投影レンズ１１７の内部に入射した光を反射する第２反射面１２０が配置されている。
【００３９】
図５（ａ）は投影レンズ１１７を携帯電話機１の載置部１１４とは反対側から見た背面図である。
背面図側には、入射部１８から投影レンズ１１７の内部に入射した光を反射する第１反射面１１９と、投影レンズ１１７から光を放射する放射面１２１とが配置されている。
【００４０】
図５（ｂ）は、投影レンズ１１７の側面図であって、後述する図６と同一の方向から見た図面である。
図５（ｂ）のように、投影レンズ１１７は紙面上下方向の長さは、紙面左右方向に比べて長くなっている。そこで、紙面上下方向を長手方向と定義し、紙面左右方向を短手方向と定義する。
投影レンズ１１７の入射面１１８は短手方向と略垂直に形成されている。第１反射面１１９は短手方向に対して略４５度を成すように形成されている。第２反射面１２０は短手方向と略垂直に形成されている。また、放射面１２１は短手方向と略４５度を成すように形成されている。
なお、投影レンズ１１７の紙面手前及び奥手方向の厚さは、図５（ａ）及び（ｃ）の様にすべて同一である。
【００４１】
もっとも、上述した投影レンズ１１７の形状はあくまで一つの実施例にすぎず、より小型化・鮮明化・軽量化・製造の容易化等のために様々な形状とすることができる。
例えば、プロジェクタ部１３から放射された光を十分に拡大することができるのであれば、１反射面１９及び第２反射面１２０を介さずに直接表示部１０８に放射することもできる。
【００４２】
投影レンズ１１７は、ガラス又は透明なアクリル樹脂等のプラスチックから構成される。もっとも、これらの材料に限定する趣旨ではなく、プロジェクタ部１３からの光の入射を受け、反射し、放射することができるものであればどのようなものであってもよい。
【００４３】
図６は、図４の携帯電話機１を配置したアダプタ１０１を側面から見た側面図である。
【００４４】
図６の様に、携帯電話機１のプロジェクタ部１３から放射された光は、投影レンズ１１７の入射面１１８から入射する。そして、投影レンズ１１７は、入射した光を第１反射面１１９及び第２反射面１２０介して光を導光し、放射面１２１から放射する。
放射された光は、上部筐体１０２の表示部１０８に投影される。
【００４５】
図７は、本発明におけるアダプタ１０１と携帯電話機１の信号処理系を示すブロック図である。
【００４６】
まず、携帯電話機１側の信号処理系について説明する。
図７に示されるように、携帯電話機１は、制御・処理の中枢である携帯制御部５７と、携帯通信部５１と、携帯入力部１０と、プロジェクタ部１３、携帯表示部８のそれぞれが、アドレス、データ、コントロールのためのラインが複数本からなる携帯システムバス５８に共通に接続され、構成される。
【００４７】
携帯通信部５１は、無線通信システムを捕捉し、通信ネットワークに接続される基地局との間で無線通信を行い、各種データの送受信を行う。
本発明では、特にアダプタ１０１の通信部１５１からの通信を受ける役割を有している。
この際の通信形式は、きわめて短距離の通信であるから基地局との通信に用いるような方式である必要は必ずしもなく、例えば、無線ＬＡＮの方式の通信を用いてもよいし、赤外線通信方式であってもよい。
さらに場合によっては、有線による方法でもよい。
【００４８】
携帯入力部１０は、例えば、電源キー、通話キー、数字キー、文字キー、方向キー、決定キー、発信キー、ファンクションキーなど、各種の機能が割り当てられたキーを有しており、これらのキーがユーザによって操作された場合に、その操作内容に対応する信号を発生し、これをユーザの指示として携帯制御部５７に出力する。
【００４９】
携帯表示部８は、携帯制御部５７から供給される映像信号に応じた画像を表示する。
携帯表示部８は、例えば、携帯通信部５１による無線発信時における発信先の電話番号、着信時における発信元の電話番号、受信メールや送信メールの内容、日付、時刻、電池残量、発信成否、待ち受け画面等を表示する。
【００５０】
プロジェクタ部１３は、携帯制御部５７の命令に従い、プロジェクタの発光量、プロジェクタに表示する画面の変更等を行う。
【００５１】
携帯制御部５７は、携帯電話機１の全体的な動作を統括的に制御する。
すなわち、携帯制御部５７は、携帯電話機１の各種処理が携帯入力部１０の操作に応じて適切な手順で実行されるように、上述した各ブロックの動作（携帯通信部５１における信号の送受信、携帯表示部８における画像の表示）を制御する。
【００５２】
次に、アダプタ１０１側の信号処理系について説明する。
図７に示されるように、アダプタ１０１は、制御・処理の中枢である制御部１５７と、通信部１５１と、入力部１１０のそれぞれが、アドレス、データ、コントロールのためのラインが複数本からなるシステムバス１５８に共通に接続され、構成される。
【００５３】
通信部１５１は、無線通信システムを捕捉し、携帯電話機１との間で無線通信を行い、各種データの送受信を行う。
この際の通信形式は、携帯電話機１の携帯通信部５１が採用するのと同一の通信方法を用いる。前述のように、例えば、有線通信、無線ＬＡＮ通信、赤外線通信などがありうる。
【００５４】
入力部１１０は、フルキーボードによって構成される。さらに、プロジェクタ機能に都合がよい各種キーがさらに配置されていてもよい。例えば、光の色や光量の調整キーなどである。
【００５５】
制御部１５７は、入力部１１０になされた入力内容を処理し、処理後の信号を必要に応じて通信部１５１に送る。
【００５６】
最後に、アダプタ１０１と携帯電話機１とのデータの流れについて説明する。
アダプタ１０１の入力部１１０において入力された命令は、電気信号に変換されて制御部１５７に送られる。
そして、制御部１５７において各種処理が行われて、その処理がなされた信号のうち、携帯電話機１に通信する必要がある信号を通信部１５１に送る。
そして、通信部１５１は、この信号を各種の通信方法によって携帯電話機１の携帯通信部５１に送信する。
携帯電話機１の携帯通信部５１は、アダプタ１０１の通信部１５１によって送信された信号を受信する。
そして、携帯通信部５１は、その信号を携帯制御部５７に送る。
携帯制御部５７は、その信号を各種処理して、プロジェクタ部１３に命令を送る。
これを受けたプロジェクタ部１３は、携帯制御部５７から命令された内容に応じて投影画面を変化させ、または、その光量や色合いなどを変化させる。
【００５７】
前述したようにアダプタ１０１側で行う処理は極めて単純なものであるから、制御部１５７は極めて単純なもので足りる。
場合によっては、制御部１５７を有せず入力部１１０において入力されたものをすべて、通信部１５１を通じて携帯電話機１に送信してもよい。
また、通信部１５１もきわめて短距離を通信するにすぎないため小型かつ消費電力が少ないもので足りる。そうすると、バッテリもきわめて小型なものでたりる。
また、入力部１１０も単に入力を受け付ければ足りるのであるから、薄型化・小型化することができる。
さらに、表示部１０８も単に白い幕があれば足りるのであるから、これも薄型化することができる。
そうだとすると、アダプタ１０１は極めて薄型化小型化することができる。
【００５８】
また、上記説明してきたアダプタ１０１はノート型パーソナルコンピュータのような２つ折りのものを念頭に説明してきたが、必ずしもこのような形状である必要はない。
具体的には、入力部１１０はシート状であり柔軟性に富む材料によって構成することも可能であり、表示部１０８も白いシートであれば足りるのであることから、アダプタ１０１を折り曲げ、又は、丸めることも可能に構成することもできる。
さらに、２つおりである必要もなく、４つ以上に折りたたんで収納しておき、使用時には組み立てて図３のような形状として使用することもできる。
【００５９】
＜変形例その１＞
表示部１０８は、白いスクリーン上であるのであるから、この表面についてホワイトボード用のペンなどによって書き込み可能とするのが好適である。
具体的な方法としては、表示部１０８をペンインクの成分が染み込まない材料によって構成し、かつ、ホワイトボード消しによって消すことが可能となるように表面を滑らかに構成する。なお、ホワイトボードの材質は周知である。
そうすれば、必要に応じて書き込むことが可能となり、さらに、必要に応じてホワイトボード消しによって消すことができる。
これによって、ユーザが直接に書き込むこと及び消去することが容易になり利便性が増す。
【００６０】
＜変形例その２＞
さらに、好適な変形例について記載する。
前述の変形例その１では、表示部１０８に直接書きこんでいた。
しかし、その方法では、書いた文字などを消去する必要が生ずる。さらに、書きこんだ内容を保存することができない。
そこで、表示部１０８に圧力センサーなどを配置して、外部から圧力ペンや指による圧力を検出した場合に、その情報を携帯電話機１に送信する。
そして、携帯電話機１の携帯制御部５７は、プロジェクタ部１３が表示する画面を変化させる。
これによって、アダプタ１０１が表示する内容にユーザが書き込むことを可能とするものである。
なお、圧力ペンではなく、水性ペンによって物理的に書き込む変形例その１の方法によることに加えて、変形例その２の方法をも用いることも可能である。
また、圧力センサーは一例であり、ペンの位置や赤色ポインタの位置を光学的に検出する方法であってもよい。
【００６１】
＜変形例その３＞
アダプタ１０１は、上部筐体１０２と下部筐体１０３とから構成されて、両者はその開度を変更可能な連結部１０９によって連結されている。
そうすると、上部筐体１０２が下部筐体１０３とどの程度の開度を有しているかによって、投影レンズ１１７を経由して表示部１０８に照射される画像の様子は異なるはずである。具体的には、開度が大きいのであれば、上部筐体１０２の連結部反対方向位置に投影される画像は投影レンズ１１７（プロジェクタ部１３）からの距離が遠くなってしまうことによって、大きく映し出されてしまう。逆に、開度が小さい場合には上部筐体１０２の連結部反対方向位置に投影される画像は投影レンズ１１７（プロジェクタ部１３）からの距離が近くなることによって、小さく映し出されてしまう。
かかる事態は、プロジェクタの表示装置としては好ましくない。
そこで、携帯電話機１は、開度情報に基づいてプロジェクタ部１３によって放射される画像を変更するべきである。
【００６２】
具体的な方法としては、まず、アダプタ１０１は、上部筐体１０２と下部筐体１０３との開度情報を検出し、その開度情報信号を通信部１５１によって携帯電話機１に送信する。
その開度情報信号を携帯電話機１は携帯通信部５１によって受信する。携帯通信部５１は、その開度情報信号を携帯制御部５７へ送る。
携帯制御部５７は、表示部８によって本来投影するべき画像となるように、プロジェクタ部１３が出射する投影画像を、開度情報信号に基づいて計算して調整（修正）する。
そして、プロジェクタ部１３は調整された画像を表示部に投影する。
【００６３】
以上の実施形態によれば、プロジェクタ機能付き携帯電話機１用のアダプタ１０１は、筐体と、筐体に配設された表示部１０８とを有している。
そして、プロジェクタ機能付き携帯電子機器１を載置可能な載置部１１４と、プロジェクタ機能付き携帯電子機器１が載置部１１４に載置された状態で出射する光を受光して前記表示部１０８に投影する投影レンズ１１７とを有する。
このような構成を有する、プロジェクタ機能付き携帯電話機１用のアダプタ１０１を用いることによって、ユーザはどこでも携帯電話機１のプロジェクタ機能を利用することができる。
つまり、プロジェクタ投影用のスクリーンを用意しなくても、プロジェクタ機能を利用することができる。
さらに、表示部１０８は携帯電話機１のプロジェクタ機能用に特化したスクリーンであるため、携帯電話機１のプロジェクタ機能に最適に表示部１０８を設計することができる。その結果、投影図面を見やすく構成することが可能となる。
さらに、携帯電話機１のプロジェクタ部１３と表示部１０８の位置関係が変化しないのであるから、投影画面が振れるようなことがないため、視認性が向上する。
加えて、ユーザは、プロジェクタ部１３がある携帯電話機１を手で保持する必要がないため、使用が楽である。
また、このような構成によって、アダプタ１０１は軽量、小型、薄型、柔軟性を有するようにも作製することができる。それによって、アダプタ１０１の運搬性を上げることができる。
【００６４】
筐体に配設された入力部１１０と、プロジェクタ機能付き携帯電子機器１に、入力部１１０より入力された信号を発信する通信部１５１と、を有する。
このような構成によって、ユーザは携帯電話機１を操作することなく、携帯電話機１のプロジェクタ部１３によって投影される画面を変更することができる。そしてそのことは、投影される画面に振れ等を生じさせないという効果を有する。
【００６５】
載置部１１４の少なくとも一側面側に前記入力部１１０が配置されている
このような構成によって、ノート型パーソナルコンピュータの様に携帯電話機１が載置されたアダプタ１０１を操作することができる。そして、そのことは、ユーザがノート型パソコンを持ち歩かなくても済むという利点を生む。
【００６６】
筐体は、表示部１０８が配設された上部筐体１０２と、入力部１１０が配設された下部筐体１０３と、上部筐体１０２と下部筐体１０３とを連結する連結部１０９と、を有している。
そして、連結部１０９は、上部筐体１０２と下部筐体１０３とを開動可能に支持しており、上部筐体の前記表示部１０８側の面と下部筐体の前記入力部１１０側の面とを対向した状態に折り畳み可能である。
このような構成によって、アダプタ１０１は小型化することが可能である。また、よりノート型パーソナルコンピュータに近い使用環境とすることができる。
【００６７】
上部体１０２と下部筐体１０３が折り畳まれる際には、投影レンズ１１７は取り外される。
このような構成によって、体積が大きい投影レンズ１１７を収容する空間を筐体に設ける必要がなくなり、筺体を小型化薄型化することが可能となる。
【００６８】
連結部１０９は、前記上部筐体１０２と前記下部筺体１０３の開度を一定に保持可能である。
このような構成によって、表示部１０８に標示される投影画像が変化することがない。
【００６９】
表示部１０８は、水性ペンによるインクによって書込可能、及び、当該インクを消去可能な材料によって構成する。
このような構成によって、ユーザが表示部１０８に書き込んだ内容をプロジェクタ部１３が投影する投影画像に反映することができる。
そして、そのことはユーザの操作性が増すということを意味する。
【００７０】
表示部１０８は入力を検出可能な検出部を有し、記通信部１５１は、検出部が検出した入力情報をプロジェクタ機能付き携帯電子機器に送信する。
このような構成によって、水性ペンなどがなくても、指、圧力ペン等による入力が可能となり利便性がます。また、書きこんだ内容を容易に消去・加工が容易になる。
【００７１】
本発明のプロジェクタ機能付き携帯電話機１は、上部筐体１０２と、連結部１０９によって上部筐体１０２と開閉自在に形成される下部筐体１０３と、上部筐体１０２に配設された表示部１０８と、下部筐体１０３に配設された入力部１１０と、下部筐体１０３に形成されたプロジェクタ機能付き携帯電話機１を載置可能な載置部１１４と、プロジェクタ機能付き携帯電話機１が載置部１１４に載置された状態で出射する光を受光して表示部１０８に投影する投影レンズ１１７と、を含むプロジェクタ機能付き携帯電子機器用アダプタ１０１の上部筐体１０２と下部筐体１０３の開度に対してプロジェクタ機能付き携帯電話機１の通信部１５１から発信された開度情報信号を受信する携帯通信部５１とを有している。
そして、開度情報信号に応じて投影画像を調整する携帯制御部５７と、制御部５７によって調整された画像を、投影レンズ１１７を介して表示部１０８に投影するプロジェクタ部１３と、を有している。
このような構成によって、アダプタ１０１の開度に応じて投影画像が補正されるのであるから、どのような開度においても適切な投影画像を得ることができる。
【００７２】
なお、以上の実施形態において、上部筐体１０２及び下部筐体１０３は本発明の筐体の一例である。
【００７３】
本発明は、以上の実施形態に限定されず、種々の態様で実施されてよい。
【００７４】
携帯電子機器は、携帯電話機１に限定されない。例えば、携帯電子機器は、ノートパソコン、ＰＤＡ、ゲーム機、カメラであってもよい。また、携帯電子機器は、折り畳み式のものに限定されない。ケースが一体的に構成されたもの（１つのみのケース）であってもよい
【００７５】
また、アダプタ１０１の形状は任意に選択可能である。特に、本発明のアダプタ１０１は、構成部材が柔軟であっても良いので、きわめて高い形状の自由度を有する。
【符号の説明】
【００７６】
１…携帯電話機、２…上部ケース、３…下部ケース、４…上部フロントケース、５…上部筐体リアケース、６…下部筐体フロントケース、７…下部筐体リアケース、８…携帯表示部、９…携帯連結部、１０…携帯入力部、１１…右側面、１２…左側面、１３…プロジェクタ部、５１…携帯通信部、５７…携帯制御部、５８…携帯システムバス、
１０１…アダプタ、１０２…上部筐体（第１の筐体）、１０３…下部筐体（第２の筐体）、１１０…入力部、１１４…載置部、１０８…表示部、１０９…連結部、１１７…投影レンズ、１１８…入射面、１１９…第１反射面、１２０…第２反射面、１２１…放射面、１５１…通信部、１５７…制御部
【図１】
2010232931.tif 000003
【図２】
2010232931.tif 000004
【図３】
2010232931.tif 000005
【図４】
2010232931.tif 000006
【図５】
2010232931.tif 000007
【図６】
2010232931.tif 000008
【図７】
2010232931.tif 000009